(57)【要約】【課題】植物に光を照射するための発光体数および発熱ならびに重量を抑制できる植物育成促進装置を提供すること。【解決手段】発光ダイオード１０ａ〜１０ｃから射出された光Ｌｒ，Ｌｇ，Ｌｂは、厚み面１５ｂから導光板１５に入射する。導光板１５に入射した光は、Ｖ字溝１５ａによって、光照射面１３に対し垂直方向の光に変換され、光照射面１３の全面から均一分布の光が照射される。よって、光照射装置の表面に発光ダイオードを満遍なく敷き詰めて均一分布の光を照射していた従来の構成と比較して、発光ダイオード１０ａ〜１０ｃは導光板１５の厚み面１５ｂの両面だけに配設すればよく、使用する発光ダイオードの数量を削減することができる。これに伴い、エッジライト式照明２の発熱が従来の構成と比較して抑制されるので、従来必要であった放熱板が不要となり、エッジライト式照明２の重量を低減できる。【選択図】図２
2007185115.tif 000002
【特許請求の範囲】
【請求項１】
育成促進の対象となる植物の種類を入力する入力手段と、
その入力手段により入力された植物の種類に応じて照射する光のスペクトルを選定するスペクトル選定手段と、
そのスペクトル選定手段により選定されたスペクトルの光に制御する光制御手段と、
その光制御手段により制御されたスペクトルで光を射出する発光体と、
平板状に形成されると共に、その平板状の片面に複数条のＶ字溝が凹設され、その反対面が一体又は別体で構成された光照射面とされており、前記発光体の光射出面を前記平板状の厚み面に対向させて配置し、その発光体から射出された光を前記厚み面から入射し、前記Ｖ字溝で反射させて前記光照射面から照射する導光板とを備え、
前記光照射面から照射される光によって植物の育成を促進することを特徴とする植物育成促進装置。
【請求項２】
植物の育成を促進するために適したスペクトル情報が植物の種類毎に記憶された第１スペクトル情報記憶手段を備え、
前記スペクトル選定手段は、前記第１スペクトル情報記憶手段に記憶されたスペクトル情報から照射する光のスペクトルを選定するものであることを特徴とする請求項１に記載の植物育成促進装置。
【請求項３】
前記発光体は、赤色及び緑色並びに青色から構成される一体型の発光ダイオードであることを特徴とする請求項１又は２に記載の植物育成促進装置。
【請求項４】
前記光照射面の高さを調整する昇降手段を備えていることを特徴とする請求項１から３のいずれかに記載の植物育成促進装置。
【請求項５】
育成促進の対象となる植物付近の温度を検知する温度検知手段と、
育成促進の対象となる植物付近の湿度を検知する湿度検知手段と、
前記各検知手段が検知した温度および湿度の情報を加味した植物の育成を促進するために適したスペクトル情報が植物の種類毎に記憶された第２スペクトル情報記憶手段とを備え、
前記スペクトル選定手段は、前記第２スペクトル情報記憶手段に記憶されたスペクトル情報から照射する光のスペクトルを選定するものであることを特徴とする請求項１から４のいずれかに記載の植物育成促進装置。
【発明の詳細な説明】
【技術分野】
【０００１】
本発明は、植物に発光体による光を照射して、その育成を促進する植物育成促進装置に関するものである。
【背景技術】
【０００２】
下記特許文献１，２には、植物に発光ダイオードによる光を照射して、その育成を促進する植物伸長装置が記載されている。特許文献１は、複数の発光ダイオードを有した光照射装置から照射される植物伸長のための光を利用して植物を育成する植物伸長装置であって、照射対象となる植物が特定種類のものである場合には、その植物の伸長を促進させる際に、光照射装置から射出される光のスペクトルを青色又は青緑色が優勢なものにすることが記載されている（特許文献１）。また、特許文献２の植物促進装置には異なる発光スペクトル特性を有した複数種類の発光ダイオードを備え、それら各種の発光ダイオードの組み合わせ構成比率及び各種発光ダイオードの発光強度を適宜設定し、各発光ダイオードから照射される光の合成スペクトルが基準となる太陽光スペクトルと近似したスペクトルとなるように構成することが記載されている（特許文献２）。
【０００３】
ここで用いられている発光ダイオードを用いた光照射装置は、光照射装置の表面に異なるスペクトル光を発する複数種類の発光ダイオードを満遍なく敷設することによって構成されている。
【特許文献１】特開２００４−３４４１１４号公報
【特許文献２】特開２００４−１６６５１１号公報
【発明の開示】
【発明が解決しようとする課題】
【０００４】
このため、上記特許文献１，２に開示される植物伸長装置では、植物に照射する光を均一化するために、光照射装置の表面に発光ダイオードを満遍なく多数敷設する必要がある。発光ダイオードは照射の指向性が高いからである。また、照射する光を均一化するために発光ダイオードが多数用いられるため、発熱量が増大し、放熱のための放熱板が必要となる。更には、発光ダイオードが多数敷設されることによって光照射装置の重量が増大するという問題点がある。
【０００５】
これらの問題点を解決する方法の一つとして、光照射装置の表面に敷設する発光ダイオードを疎らにすることにより発光ダイオードの数を削減する方法が考えられるが、この方法を採用した場合は、光照射装置と植物との間に照射する光を均一化するための拡散フイルムが必要となるという問題がある。
【０００６】
本発明は、上述した問題点を解決するためになされたものであり、植物に光を照射するための発光体数および発熱ならびに重量を抑制することができ、しかも、発光体数を抑制しても光を均一化するための拡散フイルムを必要としない植物育成促進装置を提供することを目的としている。
【課題を解決するための手段】
【０００７】
この目的を達成するために請求項１記載の植物育成促進装置は、育成促進の対象となる植物の種類を入力する入力手段と、その入力手段により入力された植物の種類に応じて照射する光のスペクトルを選定するスペクトル選定手段と、そのスペクトル選定手段により選定されたスペクトルの光に制御する光制御手段と、その光制御手段により制御されたスペクトルで光を射出する発光体と、平板状に形成されると共に、その平板状の片面に複数条のＶ字溝が凹設され、その反対面が一体又は別体で構成された光照射面とされており、前記発光体の光射出面を前記平板状の厚み面に対向させて配置し、その発光体から射出された光を前記厚み面から入射し、前記Ｖ字溝で反射させて前記光照射面から照射する導光板とを備え、前記光照射面から照射される光によって植物の育成を促進するものである。
【０００８】
請求項２に記載の植物育成促進装置は、請求項１記載の植物育成促進装置において、植物の育成を促進するために適したスペクトル情報が植物の種類毎に記憶された第１スペクトル情報記憶手段を備え、前記スペクトル選定手段は、前記第１スペクトル情報記憶手段に記憶されたスペクトル情報から照射する光のスペクトルを選定するものである。
【０００９】
請求項３記載の植物育成促進装置は、請求項１又は２記載の植物育成促進装置において、前記発光体は、赤色及び緑色並びに青色から構成される一体型の発光ダイオードである。
【００１０】
請求項４記載の植物育成促進装置は、請求項１から３のいずれかに記載の植物育成促進装置において、前記光照射面の高さを調整する昇降手段を備えている。
【００１１】
請求項５記載の植物育成促進装置は、請求項１から４のいずれかに記載の植物育成促進装置において、育成促進の対象となる植物付近の温度を検知する温度検知手段と、育成促進の対象となる植物付近の湿度を検知する湿度検知手段と、前記各検知手段が検知した温度および湿度の情報を加味した植物の育成を促進するために適したスペクトル情報が植物の種類毎に記憶された第２スペクトル情報記憶手段とを備え、前記スペクトル選定手段は、前記第２スペクトル情報記憶手段に記憶されたスペクトル情報から照射する光のスペクトルを選定するものである。
【発明の効果】
【００１２】
請求項１記載の植物育成促進装置によれば、導光板の厚み面に発光体の光の射出面を対向させて配設し、その状態で発光体を発光させる。すると、発光体から射出された光は、導光板の厚み面から入射し、Ｖ字溝で反射されて、光照射面から均一に照射される。よって、光照射面に発光体を敷き詰めることなく植物に対し均一分布の照射光を供給することができるという効果がある。また、発光体は導光板の厚み面に配設すれば良いので、光照射面に発光体を敷き詰める従来の光照射装置の構造と比べて発光体数を削減することができる。よって、発熱が従来の光照射装置と比較して抑制されるので、従来の光照射装置では必要であった放熱板が不要となる。よって、植物育成促進装置の重量を低減させることができるという効果がある。加えて、従来のように光照射装置の表面に敷設する発光体を疎らにすることによって発光体の数を削減する方法を採用した場合では必要であった、照射光を均一分布させるための光照射装置と植物との間に配置される拡散フイルムを不要にすることができるという効果がある。
【００１３】
特に、入力手段により入力された育成促進の対象となる植物の種類に応じて、スペクトル選定手段により光のスペクトルが選定され、その選定されたスペクトルの光が発光手段から射出されるように、光制御手段によって制御される。よって、育成促進の対象となる植物には、その植物に応じたスペクトルの光が照射されるので、その植物の育成促進を効率よく行うことができるという効果がある。
【００１４】
請求項２記載の植物育成促進装置によれば、請求項１記載の植物育成促進装置の奏する効果に加え、スペクトル選定手段は、第１スペクトル情報記憶手段に記憶されるスペクトル情報から、植物の育成促進に適したスペクトル情報の光を選定するので、植物の種類毎に照射する光のスペクトルを制御することができる。よって、同じ場所で時期をずらして複数種類の植物を育成する場合であっても、１つの植物育成促進装置で各植物に対応した光スペクトルからなる照射光を供給することができるという効果がある。
【００１５】
請求項３記載の植物育成促進装置によれば、請求項１又は２記載の植物育成促進装置の奏する効果に加え、次の効果を奏する。本来、発光ダイオードは指向性が高いため、従来のように光照射装置の表面に発光ダイオードを分布する構成の光照射装置では、均一分布の照射光を供給するためには、照射される場所によって明暗の差が発生しないよう発光ダイオードを等間隔に満遍なく光照射装置の表面に配置することが必要であった。
【００１６】
しかしながら、請求項３記載の植物育成促進装置を用いると、発光ダイオードを導光板の厚み面に配設するだけで均一分布の照射光を供給することができるので、指向性の高い発光ダイオードを用いた場合であっても、従来の構成と比較して少数の発光ダイオードで均一分布の照射光を供給することができるという効果がある。また、発光ダイオードは通常の電球等の発光体と比較して発熱が少なく軽いので、その発熱および重量を抑制することができるという効果がある。更に、発光体を、赤色及び緑色並びに青色から構成される一体型の発光ダイオード構成しているので、育成促進する植物に応じたスペクトルの光を照射することができるという効果がある。
【００１７】
請求項４記載の植物育成促進装置によれば、請求項１から３のいずれかに記載の植物育成促進装置の奏する効果に加え、光照射面の高さを調整する昇降手段を備えているので、植物の種類や植物の育成状態に応じて、光照射面の高さを調整して、植物に光を効率よく照射し、植物を効率よく育成促進することができるという効果がある。
【００１８】
請求項５記載の植物育成促進装置によれば、請求項１から４に記載の植物育成促進装置の奏する効果に加え、次の効果を奏する。スペクトル選定手段は、温度検知手段で検知された温度と湿度検知手段で検知された湿度とに基づいて、第２スペクトル情報記憶手段からスペクトル情報を選定する。即ち、これらの情報を加味して植物の種類毎に記憶された植物の育成を促進するために適した光のスペクトルを選定する。よって、植物の種類に加え、温度および湿度も考慮して光のスペクトルを選定し、これを植物に照射するので、同じ場所で時期をずらして複数種類の植物を育成する場合に、１つの植物育成促進装置で各植物に対応した光のスペクトルからなる照射光を、一日の寒暖及び乾湿の変化を加味した上で供給することができるという効果がある。
【発明を実施するための最良の形態】
【００１９】
以下、植物に発光ダイオードによる光Ｌを照射して、その育成を促進する植物育成促進装置１についての一実施形態を、図面に基づいて説明する。図１は、植物育成促進装置１を示す斜視図である。図１を参照して、植物育成促進装置１の外観構成を説明する。
【００２０】
本実施形態において植物育成促進装置１は、植物１００の育成を促進するために使用されるものであり、中央制御装置２０の制御信号に基づいて、エッジライト式照明２から光Ｌを照射して、照射した光Ｌで植物１００の育成を促進するものである。
【００２１】
植物育成促進装置１は、植物１００に光Ｌを照射するエッジライト式照明２と、エッジライト式照明２から照射される光Ｌのスペクトルを制御する中央制御装置２０と、植物１００の種類を入力するための入力装置２４と、植物１００付近の温度を検知する温度検知センサ２５と、植物１００付近の湿度を検知する湿度検知センサ２６と、有線通信や無線通信によって中央制御装置２０に操作信号を送信する外部操作装置２７とを有して構成されている。
【００２２】
エッジライト式照明２は、中央制御装置２０と通信ケーブル２９で電気的に接続されている。エッジライト式照明２は、中央制御装置２０から送信される制御信号に基づいて、その点灯又は消灯と、点灯される場合には、植物１００へ照射される光Ｌのスペクトルが制御される。中央制御装置２０は、入力装置２４、温度検知センサ２５、湿度検知センサ２６、外部操作装置２７から出力されるそれぞれの信号を入力する。これらの入力信号によって中央制御装置２０は、エッジライト式照明２に出力（送信）する制御信号を変化させ、これにより、エッジライト式照明２から植物１００に照射される光Ｌが変化する。
【００２３】
図２は、本実施形態のエッジライト式照明２の分解斜視図である。図２を参照して、エッジライト式照明２の内部構成を説明する。尚、理解を容易とするために、発光ダイオード基板１１の配線は図示を省略している。また、発光ダイオード基板１１は、基板台座１６上に敷き詰めて配設されているが、図２では、一部の発光ダイオード基板１１のみを図示している。
【００２４】
エッジライト式照明２は、前述の通り、植物１００の育成を促進するために植物１００に光Ｌを照射するためのものである。エッジライト式照明２は、発光ダイオード１０ａ〜１０ｃが電気的に接続され一体型となった発光ダイオード基板１１と、その発光ダイオード基板１１を等間隔に一列に配設するための基板台座１６と、発光ダイオード基板１１が配設された基板台座１６が収納される基板収納１２と、光Ｌを植物１００に照射する光照射面１３と、その光照射面１３へ、発光ダイオード基板１１に実装された発光ダイオード１０ａ〜１０ｃからの光Ｌｒ，Ｌｇ，Ｌｂを導く導光板１５と、その導光板１５から光照射面１３の反体側へ導かれた光Ｌを光照射面１３へ反射させる反射板１４とを有して構成されている。
【００２５】
発光ダイオード基板１１に用いられる発光ダイオード１０ａ〜１０ｃには、赤色発光ダイオード１０ａ及び緑色発光ダイオード１０ｂ並びに青色発光ダイオード１０ｃから構成される一体型の発光ダイオードが用いられている。
【００２６】
ここで、図３を参照して、導光板１５について説明する。図３は、図２の本実施形態のエッジライト式照明２を組み付けた際の断面図である。導光板１５は、例えば光透過率の良いアクリル樹脂で形成されており、図３に示すように、導光板１５の反射板１４側の面には、複数本のＶ字状の溝１５ａ（図３参照）がそれぞれ並行（図３の紙面において手前から奥方）に凹設されている。Ｖ字溝１５ａは、導光板１５の厚み面１５ｂ，１５ｂから照射される発光ダイオード１０ａ〜１０ｃの光Ｌｒ，Ｌｇ，Ｌｂを、光照射面１３へ垂直に導くためのものである。各Ｖ字溝１５ａの凹設間隔は、発光ダイオード１０ａ〜１０ｃを実装する発光ダイオード基板１１に近い程、広く、逆に遠い程、狭くされている。即ち、図３における中央部程、Ｖ字溝１５ａの凹設間隔は狭くなっている。このＶ字溝１５ａの凹設間隔を調整することにより、導光板１５の厚み面１５ｂ，１５ｂから照射される発光ダイオード１０ａ〜１０ｃの光Ｌｒ，Ｌｇ，Ｌｂを、光照射面１３から均等に照射することができる。
【００２７】
なお、導光板１５の厚み面１５ｂ，１５ｂから照射された光のうち、反射板１４側へ導かれる光もあるが、かかる光は反射板１４によって光照射面１３へ反射され、光照射面１３から植物１００へ向けて照射される。よって、反射板１４を設けることにより、発光ダイオード基板１１から照射される光の、光照射面１３への照射効率を向上させることができるのである。
【００２８】
次に、図３を参照して、エッジライト式照明２の動作を説明する。発光ダイオード基板１１に実装された発光ダイオード１０ａ〜１０ｃから射出された光Ｌｒ，Ｌｇ，Ｌｂは、厚み面１５ｂ，１５ｂから導光板１５に入射する。導光板１５に入射した光は、Ｖ字溝１５ａによって、光照射面１３に対し垂直方向の光に変換され、光照射面１３の全面から均一分布の光が照射される。このため、光照射装置の表面に発光ダイオードを満遍なく敷き詰めることにより均一分布の光を照射していた従来の構成と比較して、発光ダイオード１０ａ〜１０ｃは導光板１５の厚み面１５ｂ，１５ｂの両面だけに配設すればよく、使用する発光ダイオードの数量を削減することができる。これに伴い、エッジライト式照明２の発熱が従来の構成と比較して抑制されるので、従来の構成に必要であった放熱板が不要となると共に、エッジライト式照明２の重量を低減させることができる。
【００２９】
加えて、本植物育成促進装置１においては、発光ダイオード１０ａ〜１０ｃを導光板１５の一対の厚み面１５ｂ，１５ｂだけに配設しても、均一分布の照射光を光照射面１３から照射することができる。よって、従来のように光照射装置の表面に敷設する発光ダイオードを疎らにすることにより発光ダイオードの数を削減する方法を採用した場合では必要であった、照射光を均一分布させるために光照射装置と植物との間に配置される拡散フイルムを不要にすることができる。
【００３０】
次に、本実施形態の植物育成促進装置１の電気的構成を、図４のブロック図に基づいて説明する。中央制御装置２０は、植物の種類毎に、温度と湿度と植物の育成に適した光スペクトルとの組み合わせからなるデータ群を記憶した記憶装置２１と、演算処理を実行する中央処理装置２２と、後述する光制御装置２３とを、主に有して構成される。中央制御装置２０の中央処理装置２２は、記憶装置２１と、育成促進する植物１００の種類を入力するための入力装置２４と、育成促進する植物１００付近の温度を検知する温度検知センサ２５と、育成促進する植物１００付近の湿度を検知する湿度検知センサ２６と、記憶装置２１に記憶される光スペクトル情報の補正量あるいは育成促進する植物１００へ照射する光スペクトルの値を植物栽培者が入力するための外部操作装置２７とから各種の入力信号を受ける。また、中央処理装置２２は、記憶装置２１と、光制御装置２３とに対して制御信号を出力し、光照射の制御を進行する。光制御装置２３は、各発光ダイオード基板１１の各発光ダイオード１０ａ〜１０ｃとそれぞれ電気的に接続されており、中央処理装置２２からの制御に基づいて、各発光ダイオード１０ａ〜１０ｃの点灯を制御するものである。
【００３１】
ここで、図５及び図６を参照して光制御装置２３の回路構成を説明する。光制御装置２３は、ＰＷＭ制御回路２８と、ｎｐｎトランジスタＴａ〜Ｔｃと、そのエミッタ端子にそれぞれ直列接続される抵抗Ｒａ〜Ｒｃとにより構成される。ｎｐｎトランジスタＴａ〜Ｔｃのコレクタ端子にはそれぞれ発光ダイオード１０ａ〜１０ｃのカソード端子が直列接続される。発光ダイオード１０ａ〜１０ｃのアノード端子は、それぞれ抵抗Ｒを介して電源Ｖｃｃに直列接続される。ＰＷＭ制御回路２８は、ｎｐｎトランジスタＴａ〜Ｔｃのそれぞれのベース端子に対して、ＰＷＭ（Ｐｕｌｓｅ  Ｗｉｄｔｈ  Ｍｏｄｕｌａｔｉｏｎ）方式によって電圧を供給すると共に、供給する電圧を制御するものである。
【００３２】
図６に示すように、ＰＷＭ制御回路２８は、時間間隔ｔ（１周期）において、時間間隔ｔａ１〜ｔｃ１の時には電圧を印加しないオフ状態となり、時間間隔ｔａ２〜ｔｃ２の時には電圧を印加するオン状態となるようにｎｐｎトランジスタＴａ〜Ｔｃのそれぞれのベース端子に供給する電圧を制御する。この時間間隔ｔにおけるオン状態の時間間隔ｔａ２〜ｔｃ２の比率をデューティ比と言い、このデューティ比ｔａ２／ｔ〜ｔｃ２／ｔをＰＷＭ制御回路２８がｎｐｎトランジスタＴａ〜Ｔｃ毎に制御することにより、ｎｐｎトランジスタＴａ〜Ｔｃのベース端子毎に異なるデューティ比ｔａ２／ｔ〜ｔｃ２／ｔの電圧がＰＷＭ制御回路２８から供給される。これにより、ｎｐｎトランジスタＴａ〜Ｔｃの各ベース端子に供給される電流の平均が制御され、ｎｐｎトランジスタＴａ〜Ｔｃの各コレクタ端子に接続された発光ダイオード１０ａ〜１０ｃへの供給電流も制御され、発光ダイオード１０ａ〜１０ｃから射出される光を所望のスペクトルに設定することができる。
【００３３】
さて、図４に戻り、ブロック図の動作を説明する。入力装置２４は植物１００の種類を入力する装置であり、育成促進の対象となる植物１００の種類が入力される。入力された植物１００の種類は、入力装置２４によって中央処理装置２２へ送信される。中央処理装置２２が受信した植物１００の種類、および温度検知センサ２５が検知した植物１００付近の温度、並びに湿度検知センサ２６が検知した植物１００付近の湿度を基に、中央処理装置２２は記憶装置２１にアクセスし、記憶装置２１に記憶された光スペクトル情報を読み出す。前述した通り、記憶装置２１には、植物の種類毎に、温度と湿度と植物の育成に適した光スペクトルとの組み合わせのデータ群が記憶されているので、入力装置２４で入力された植物１００の育成促進に最適な光スペクトル情報が中央処理装置２２によって読み出される。
【００３４】
詳細には、まず、中央処理装置２２は、記憶装置２１に記憶される複数のデータから、入力された植物１００の種類に適合するデータを一つ選択する。次に中央処理装置２２は、選択したデータを用い、温度検知センサ２５の検知した温度および湿度検知センサ２６の検知した湿度から植物１００の育成に適した光スペクトル情報を求める。こうして求めた植物１００の育成に適した光スペクトル情報を中央処理装置２２が読み出し、光制御装置２３に送信する。
【００３５】
光スペクトル情報を受信した光制御装置２３は、受信した光スペクトル情報に基づいて、発光ダイオード１０ａ〜１０ｃをＰＷＭ制御し、植物１００の育成に適したスペクトルの光に設定する。これにより、植物１００の育成に適したスペクトルの光が発光ダイオード基板１１に実装された発光ダイオード１０ａ〜１０ｃから射出され、そのスペクトルの光Ｌがエッジライト式照明２の光照射面１３から植物１００へ供給（照射）される。
【００３６】
また、植物栽培者は、植物１００を栽培していく上で蓄積されたノウハウ等に基づき記憶装置２１の記憶される光スペクトル情報を補正した上で、植物１００の育成に適した光スペクトルに設定したい場合もある。このような場合は、植物栽培者は記憶装置２１に記憶される光スペクトル情報の補正量を外部操作装置２７に入力することにより、外部操作装置２７は入力された補正量を中央処理装置２２へ送信する。これにより中央処理装置２２は記憶装置２１から読み出した光スペクトル情報を外部操作装置２７から入力された補正量だけ補正した後、光制御装置２３に送信する。補正後の光スペクトル情報を受信した光制御装置２３は発光ダイオード１０ａ〜１０ｃを補正後の光スペクトル情報に基づいてＰＷＭ制御し、植物１００の育成に適したスペクトルの光に設定する。これにより、育成に適したノウハウ等を含むスペクトルの光が発光ダイオード基板１１に実装された発光ダイオード１０ａ〜１０ｃから射出され、エッジライト式照明２の光照射面１３から植物１００へ供給（照射）される。
【００３７】
また、上記においては、植物栽培者は光スペクトル情報の補正量を外部操作装置２７に入力したが、植物栽培者が照射する光スペクトルの数値を外部操作装置２７へ入力しても良い。この場合は、中央処理装置２２は記憶装置２１から光スペクトル情報を読み出さずに、植物栽培者が外部操作装置２７へ入力した光スペクトルの値を光制御装置２３へ送信する。送信された光スペクトルの数値を受信した光制御装置２３は、光スペクトルの数値に基づいて発光ダイオード１０ａ〜１０ｃをＰＷＭ制御し、植物栽培者が入力したスペクトルの光に設定する。
【００３８】
上記の動作によって、本実施例の植物育成促進装置１によれば、植物１００の種類に加え、温度および湿度も考慮して光スペクトルを制御することで、同じ場所で時期をずらして植物１００を含む複数種類の植物を育成する場合に、１つの植物育成促進装置１で各植物に対応したスペクトルからなる照射光Ｌを、一日の寒暖及び乾湿の変化を加味した上で供給することができる。また、記憶装置２１に記憶される光スペクトル情報の補正量を植物栽培者が外部操作装置２７に入力することにより、植物栽培者の所望の補正量だけ補正されたスペクトルの光に設定することができる。さらに、植物栽培者が光スペクトルの数値を入力することにより、記憶装置２１に記憶された光スペクトル情報によらず、植物栽培者が入力したスペクトルに照射する光を設定することも可能である。また、外部操作装置２７は、操作信号を、有線送信または無線送信のいずれかの方式によって中央処理装置２２へ送信するようにしても良い。
【００３９】
図７は、本実施形態の植物育成促進装置１に設けられたエッジライト式照明２を昇降させて、その高さ制御を行う昇降装置５０のブロック図である。図７を参照して、昇降装置５０による高さ制御動作を説明する。
【００４０】
エッジライト式照明２は、その基板収納１２に取り付けられたワイヤー５１によって電動機３０に取り付けられている。電動機３０は、電動機外部操作装置３１に電気的に接続されており、電動機外部操作装置３１からの動作信号を受信し、その動作信号に応じてエッジライト式照明２を昇降させて、高さ制御を行うものである。
【００４１】
植物１００は植物育成促進装置１により育成されると、丈が伸びる。植物１００の丈が伸びると、いつかはエッジライト式照明２に植物１００の先端部が接触する。エッジライト式照明２の高さが固定されていれば、植物１００がエッジライト式照明２に接触する部分は徐々に大きくなり、エッジライト式照明２によって植物１００が押さえつけられ、植物１００の成長が阻害される。
【００４２】
本実施形態の植物育成促進装置１によれば、植物栽培者が電動機外部操作装置３１への入力により、エッジライト式照明２の高さを調整することができる。よって、育成促進された植物１００と、エッジライト式照明２との接触を防止して、植物１００を継続して育成することができる。
【００４３】
なお、昇降装置５０により、エッジライト式照明２を上昇のみならず、下降させることもできるので、育成促進する植物１００の丈が低い場合には、電動機３０および電動機外部操作装置３１を操作して、予めエッジライト式照明２を低い位置に設定する。これにより、植物１００にエッジライト式照明２から近距離で光Ｌを照射できるので、植物１００の育成効率を更に向上することができる。
【００４４】
本実施形態では、エッジライト式照明２の高さを制御する構成のみを記載したが、上記構成を応用することにより、エッジライト式照明２を傾けるなどして、エッジライト式照明２が照射する光の位置や方向を、任意に制御するように構成しても良い。また、電動機外部操作装置３１から電動機３０へ送信されるデータ（高さ量）は、有線送信に限られず、無線送信によって送信するようにしても良い。
【００４５】
上記の構成により、エッジライト式照明２は、発光ダイオード１０ａ〜１０ｃを導光板１５の厚さ面１５ｂ，１５ｂだけに配置しても均一分布の照射光Ｌを得ることができるので、光照射装置の表面に発光ダイオードを満遍なく配設する従来の構成と比較して発光ダイオードの数量を削減でき、さらには放熱板も不要となることからエッジライト式照明２の重量を従来の構成と比較して抑制することができる。これにより、従来の構成であれば大規模な電動機を用いなければ困難であったエッジライト式照明２が照射する光の位置、方向、高さの制御を、従来の構成と比較して小規模な電動機３０で実現することができる。よって、植物育成促進装置１のエッジライト式照明２が照射する光の位置、方向、高さ制御を行う構成が従来の構成と比較して小規模となると共に、電動機３０の消費する電力を抑制することができる。
【００４６】
以上、各実施の形態に基づき本発明を説明したが、本発明は上記形態に何ら限定されるものではなく、本発明の趣旨を逸脱しない範囲内で種々の変形改良が可能であることは容易に推察できるものである。
【００４７】
例えば、導光板１５と光照射面１３とを別部材で構成せずに、光照射面１３を導光板１５の一面として構成し、これらを１部材で形成しても良い。また、発光ダイオード基板１１および発光ダイオード１０ａ〜１０ｃは、必ずしも導光板１５の両方の厚み面１５ｂ，１５ｂに配設する必要はなく、一方の厚み面１５ｂにのみ配設するようにしても良い。
【図面の簡単な説明】
【００４８】
【図１】本実施形態における植物育成促進装置を示す斜視図である。
【図２】エッジライト式照明の分解斜視図である。
【図３】エッジライト式照明を組み付けた際の側断面図である。
【図４】植物育成促進装置のブロック図である。
【図５】光制御装置の回路構成図である。
【図６】光制御装置を構成するｎｐｎトランジスタのベース端子に供給される電圧のタイミングチャート図である。
【図７】植物育成促進装置に設けられた昇降装置のブロック図である。
【符号の説明】
【００４９】
１        植物育成促進装置
２        エッジライト式照明
１０ａ    赤色発光ダイオード（発光体）
１０ｂ    緑色発光ダイオード（発光体）
１０ｃ    青色発光ダイオード（発光体）
１１      発光ダイオード基板（赤色及び緑色並びに青色から構成される一体型の発光ダイオード）
１３      光照射面
１４      反射板
１５      導光板
１５ａ    Ｖ字溝
１５ｂ    厚み面
２１      記憶装置（第１スペクトル情報記憶手段、第２スペクトル情報記憶手段）
２２      中央処理装置（スペクトル選定手段）
２３      光制御装置（光制御手段）
２４      入力装置（入力手段）
２５      温度検知センサ（温度検知手段）
２６      湿度検知センサ（湿度検知手段）
２８      ＰＷＭ制御回路（光制御手段の一部）
５０      昇降装置（昇降手段）
【図１】
2007185115.tif 000003
【図２】
2007185115.tif 000004
【図３】
2007185115.tif 000005
【図４】
2007185115.tif 000006
【図５】
2007185115.tif 000007
【図６】
2007185115.tif 000008
【図７】
2007185115.tif 000009